(57)【要約】【課題】中継装置において、アイソレーションを考慮した通信経路の自己検査を行う。【解決手段】中継装置１０は、疑似信号の送信電力を設定する送信電力制御部４２と、設定された送信電力でドナーアンテナ２１およびサービスアンテナ３１の一方（送信アンテナ）から疑似信号を送信させる疑似信号供給部４３と、送信された疑似信号をその他方（受信アンテナ）に受信させる疑似信号取得部４５と、疑似信号の受信電力を取得する受信電力取得部４４と、設定された送信電力と取得された受信電力とがアイソレーションに係る所定の条件を満たすか否かを判定する第１判定部４６による判定結果と、送信された疑似信号と受信された疑似信号との同一性を判定する第２判定部４７よる判定結果と、に基づいて、送信アンテナから受信アンテナに送信される疑似信号の伝送経路が正常であるか否かを推定する経路状態推定部４８と、を含む。【選択図】図２
2011250163.tif 000002
【特許請求の範囲】
【請求項１】
対第１通信装置用のアンテナと対第２通信装置用のアンテナとを備え、前記第１通信装置と前記第２通信装置との間の通信を中継する中継装置の経路試験システムであって、
疑似信号の送信電力を設定する送信電力制御手段と、
前記送信電力制御手段により設定された送信電力で前記アンテナの一方から疑似信号を送信させるともに、該送信された疑似信号を前記アンテナの他方に受信させる疑似信号伝送手段と、
前記アンテナの他方で受信された疑似信号の受信電力を取得する受信電力取得手段と、
前記送信電力制御手段により設定された送信電力と前記受信電力取得手段により取得された受信電力とがアイソレーションに係る所定の条件を満たすか否かを判定する第１判定手段と、
前記アンテナの一方から送信された疑似信号と前記アンテナの他方で受信された疑似信号との同一性を判定する第２判定手段と、
前記第１判定手段よる判定結果と前記第２判定手段よる判定結果とに基づいて、前記アンテナの一方から他方に送信される疑似信号の伝送経路が正常であるか否かを推定する推定手段と、
を含むことを特徴とする経路試験システム。
【請求項２】
請求項１に記載の経路試験システムにおいて、
前記推定手段は、前記第１判定手段により前記アイソレーションに係る所定の条件が満たされると判定され、さらに前記第２判定手段により前記疑似信号の間に同一性があると判定された場合に、前記疑似信号の伝送経路が正常または準正常であると推定する、
ことを特徴とする経路試験システム。  
【請求項３】
請求項１または２に記載の経路試験システムにおいて、
前記送信電力制御手段は、前記第２判定手段により前記疑似信号の間に同一性がないと判定された場合に、予め定められた送信電力の上限値以下の範囲で前記疑似信号の送信電力を増加させ、
前記疑似信号伝送手段は、前記送信電力制御手段により増加された送信電力で前記アンテナの一方から疑似信号を送信させるともに、該送信された疑似信号を前記アンテナの他方に受信させる、
ことを特徴とする経路試験システム。
【請求項４】
請求項３に記載の経路試験システムにおいて、
前記推定手段は、前記送信電力制御手段が前記疑似信号の送信電力を増加させる前に、前記第１判定手段により前記アイソレーションに係る所定の条件が満たされると判定され、さらに前記第２判定手段により前記疑似信号の間に同一性があると判定された場合には、前記疑似信号の伝送経路が正常であると推定する、
ことを特徴とする経路試験システム。
【請求項５】
請求項４に記載の経路試験システムにおいて、
前記推定手段は、前記送信電力制御手段が前記疑似信号の送信電力を増加させた後に、前記第１判定手段により前記アイソレーションに係る所定の条件が満たされると判定され、さらに前記第２判定手段により前記疑似信号の間に同一性があると判定された場合には、前記疑似信号の伝送経路が準正常であると推定する、
ことを特徴とする経路試験システム。
【請求項６】
請求項１から５のいずれかに記載の経路試験システムにおいて、
前記推定手段は、前記第１判定手段により前記アイソレーションに係る所定の条件が満たされないと判定された場合に、前記疑似信号の伝送経路に異常があると推定する、
ことを特徴とする経路試験システム。
【請求項７】
対第１通信装置用のアンテナと対第２通信装置用のアンテナとを備え、前記第１通信装置と前記第２通信装置との間の通信を中継する中継装置の経路試験方法であって、
疑似信号の送信電力を設定するステップと、
前記設定された送信電力で前記アンテナの一方から疑似信号を送信させるともに、該送信された疑似信号を前記アンテナの他方に受信させるステップと、
前記アンテナの他方で受信された疑似信号の受信電力を取得するステップと、
前記設定された送信電力と前記取得された受信電力とがアイソレーションに係る所定の条件を満たすか否かを判定する第１判定ステップと、
前記アンテナの一方から送信された疑似信号と前記アンテナの他方で受信された疑似信号との同一性を判定する第２判定ステップと、
前記第１判定ステップにおける判定結果と前記第２判定ステップにおける判定結果とに基づいて、前記アンテナの一方から他方に送信される疑似信号の伝送経路が正常であるか否かを推定するステップと、
を含むことを特徴とする経路試験方法。
【発明の詳細な説明】
【技術分野】
【０００１】
本発明は、中継装置の経路試験システムおよびその経路試験方法に関する。
【背景技術】
【０００２】
基地局が通信経路を自己検査する方法として、ループバックテストが知られている。ループバックテストによれば、送信経路（ダウンリンク）から送信された疑似信号を自局の受信経路（アップリンク）で受信し、送信した疑似信号と受信した疑似信号とを比較することで通信経路の異常の有無を判別することができる。
【０００３】
たとえば、図５に示すように、送信アンテナと受信アンテナとを備える基地局では、送信アンテナからの無線出力を受信アンテナで取り込むことによりループバックテストを行うことができる。
【０００４】
一方、図６に示すように、スイッチの切り替えによって送信アンテナおよび受信アンテナのいずれかとして選択的に用いられるアンテナを複数備える基地局では、一方のアンテナからの無線出力を他方のアンテナで取り込むことによりループバックテストを行うことができる。
【先行技術文献】
【特許文献】
【０００５】
【特許文献１】特開平１０−１０７７４４号公報
【発明の概要】
【発明が解決しようとする課題】
【０００６】
ところで、図７に示すように、たとえば基地局（第１通信装置の一例）と移動局（第２通信装置の一例）との間の通信を中継する中継装置（リピータ）は、基地局と無線通信を行うドナー部と、移動局と無線通信を行うサービス部と、を備えている。また、ドナー部を構成するドナーアンテナとサービス部を構成するサービスアンテナとの相互干渉を極力避けるため、両アンテナの間には一定のアイソレーションが確保されている。両アンテナの間にアイソレーションを確保するための方策としては、ドナーアンテナとサービスアンテナとの空間的距離を離すこと、両アンテナの間に反射板を配置すること、などがある。
【０００７】
このように、中継装置では、対第１通信装置用のアンテナと対第２通信装置用のアンテナとのアイソレーションが確保されているため、上記従来の基地局で行われているループバックテストと同様の方法では、通信経路の自己検査を正確に行うことができない。
【０００８】
本発明は、上記課題に鑑みてなされたものであり、対第１通信装置用のアンテナと対第２通信装置用のアンテナとの間に確保されるアイソレーションを考慮した通信経路の自己検査を行うことができる中継装置の経路試験システムおよび経路試験方法を提供することを目的とする。
【課題を解決するための手段】
【０００９】
上記課題を解決するために、本発明に係る中継装置の経路試験システムは、対第１通信装置用のアンテナと対第２通信装置用のアンテナとを備え、前記第１通信装置と前記第２通信装置との間の通信を中継する中継装置の経路試験システムであって、疑似信号の送信電力を設定する送信電力制御手段と、前記送信電力制御手段により設定された送信電力で前記アンテナの一方から疑似信号を送信させるともに、該送信された疑似信号を前記アンテナの他方に受信させる疑似信号伝送手段と、前記アンテナの他方で受信された疑似信号の受信電力を取得する受信電力取得手段と、前記送信電力制御手段により設定された送信電力と前記受信電力取得手段により取得された受信電力とがアイソレーションに係る所定の条件を満たすか否かを判定する第１判定手段と、前記アンテナの一方から送信された疑似信号と前記アンテナの他方で受信された疑似信号との同一性を判定する第２判定手段と、前記第１判定手段よる判定結果と前記第２判定手段よる判定結果とに基づいて、前記アンテナの一方から他方に送信される疑似信号の伝送経路が正常であるか否かを推定する推定手段と、を含むことを特徴とする。
【００１０】
本発明では、対第１通信装置用のアンテナおよび対第２通信装置用のアンテナの一方から送信された疑似信号とその他方で受信された疑似信号との同一性について判定した結果だけでなく、疑似信号の送信電力と受信電力とがアイソレーションに係る所定の条件を満たすか否かについて判定した結果にさらに基づいて、疑似信号の伝送経路が正常であるか否かを推定する。
【００１１】
このため、本発明によれば、対第１通信装置用のアンテナと対第２通信装置用のアンテナとの間に確保されるアイソレーションを考慮した通信経路の自己検査を行うことができる。
【００１２】
また、本発明の一態様では、前記推定手段は、前記第１判定手段により前記アイソレーションに係る所定の条件が満たされると判定され、さらに前記第２判定手段により前記疑似信号の間に同一性があると判定された場合に、前記疑似信号の伝送経路が正常または準正常であると推定する。
【００１３】
また、本発明の一態様では、前記送信電力制御手段は、前記第２判定手段により前記疑似信号の間に同一性がないと判定された場合に、予め定められた送信電力の上限値以下の範囲で前記疑似信号の送信電力を所定値だけ増加させ、前記疑似信号伝送手段は、前記送信電力制御手段により増加された送信電力で前記アンテナの一方から疑似信号を送信させるともに、該送信された疑似信号を前記アンテナの他方に受信させる。
【００１４】
また、本発明の一態様では、前記推定手段は、前記送信電力制御手段が前記疑似信号の送信電力を増加させる前に、前記第１判定手段により前記アイソレーションに係る所定の条件が満たされると判定され、さらに前記第２判定手段により前記疑似信号の間に同一性があると判定された場合には、前記疑似信号の伝送経路が正常であると推定する。
【００１５】
また、本発明の一態様では、前記推定手段は、前記送信電力制御手段が前記疑似信号の送信電力を増加させた後に、前記第１判定手段により前記アイソレーションに係る所定の条件が満たされると判定され、さらに前記第２判定手段により前記疑似信号の間に同一性があると判定された場合には、前記疑似信号の伝送経路が準正常であると推定する。
【００１６】
また、本発明の一態様では、前記推定手段は、前記第１判定手段により前記アイソレーションに係る所定の条件が満たされないと判定された場合に、前記疑似信号の伝送経路に異常があると推定する。
【００１７】
また、本発明に係る中継装置の経路試験方法は対第１通信装置用のアンテナと対第２通信装置用のアンテナとを備え、前記第１通信装置と前記第２通信装置との間の通信を中継する中継装置の経路試験方法であって、疑似信号の送信電力を設定するステップと、前記設定された送信電力で前記アンテナの一方から疑似信号を送信させるともに、該送信された疑似信号を前記アンテナの他方に受信させるステップと、前記アンテナの他方で受信された疑似信号の受信電力を取得するステップと、前記設定された送信電力と前記取得された受信電力とがアイソレーションに係る所定の条件を満たすか否かを判定する第１判定ステップと、前記アンテナの一方から送信された疑似信号と前記アンテナの他方で受信された疑似信号との同一性を判定する第２判定ステップと、前記第１判定ステップにおける判定結果と前記第２判定ステップにおける判定結果とに基づいて、前記アンテナの一方から他方に送信される疑似信号の伝送経路が正常であるか否かを推定するステップと、を含むことを特徴とする。
【図面の簡単な説明】
【００１８】
【図１】本発明の実施形態に係る中継装置の構成を示す図である。
【図２】本実施形態に係る経路試験部の機能ブロック図である。
【図３】本実施形態に係る中継装置の経路試験処理の一例を示すフロー図である。
【図４】本実施形態に係る中継装置の経路試験処理の一例を示すフロー図である。
【図５】基地局の構成の一例を示す図である。
【図６】基地局の構成の他の例を示す図である。
【図７】中継装置の構成の一例を示す図である。
【発明を実施するための形態】
【００１９】
以下、本発明の一実施形態を図面に基づいて詳細に説明する。
【００２０】
本発明の実施形態に係る中継装置１０は、基地局からの電波が直接届きにくい場所（たとえば屋内や地下街など）に設置され、基地局と移動局との間の通信を中継する。
【００２１】
図１は、中継装置１０の構成を示す図である。図１に示すように、中継装置１０は、基地局（第１通信装置の一例）と無線通信を行うドナー部２０と、移動局（第２通信装置の一例）と無線通信を行うサービス部３０と、を含んで構成される。
【００２２】
ドナー部２０には、ドナーアンテナ２１と、スイッチ２２と、送信部２３と、受信部２４と、制御部２５と、が含まれる。
【００２３】
ドナーアンテナ２１は、対基地局用のアンテナであり、スイッチ２２を介して送信部２３および受信部２４のいずれかと選択的に接続される。ドナーアンテナ２１が送信部２３に接続されているとき、ドナーアンテナ２１は、送信部２３から供給される無線信号を基地局に対して送信する。一方、ドナーアンテナ２１が受信部２４に接続されているとき、ドナーアンテナ２１は、基地局から送信される無線信号を受信し、受信された無線信号を受信部２４に出力する。
【００２４】
スイッチ２２は、ドナーアンテナ２１に送信部２３および受信部２４のいずれかを選択的に接続するものである。
【００２５】
送信部２３は、電力増幅器、周波数変換器、帯域通過フィルタ、およびＤ／Ａ変換器を含んで構成される。送信部２３は、制御部２５から入力されるデジタル信号を、アナログ信号に変換した後、無線信号にアップコンバートし、電力増幅器で送信出力レベルまで増幅してから、スイッチ２２を介してドナーアンテナ２１に供給する。
【００２６】
受信部２４は、低雑音増幅器、周波数変換器、帯域通過フィルタ、およびＡ／Ｄ変換器を含んで構成される。受信部２４は、スイッチ２２を介してドナーアンテナ２１から入力される無線信号を、低雑音増幅器で増幅した後、中間周波数信号にダウンコンバートし、さらにデジタル信号に変換してから、制御部２５に出力する。
【００２７】
制御部２５は、たとえばＣＰＵおよびＣＰＵの動作を制御するプログラムで構成される。本実施形態では、制御部２５が、後述する経路試験部４０の一部として動作する。
【００２８】
また、サービス部３０にも同様に、サービスアンテナ３１と、スイッチ３２と、送信部３３と、受信部３４と、制御部３５と、が含まれる。
【００２９】
サービスアンテナ３１は、対移動局用のアンテナであり、スイッチ３２を介して送信部３３および受信部３４のいずれかと選択的に接続される。サービスアンテナ３１が送信部３３に接続されているとき、サービスアンテナ３１は、送信部３３から供給される無線信号を移動局に対して送信する。一方、サービスアンテナ３１が受信部３４に接続されているとき、サービスアンテナ３１は、移動局から送信される無線信号を受信し、受信された無線信号を受信部３４に出力する。
【００３０】
スイッチ３２は、サービスアンテナ３１に送信部３３および受信部３４のいずれかを選択的に接続するものである。
【００３１】
送信部３３は、電力増幅器、周波数変換器、帯域通過フィルタ、およびＤ／Ａ変換器を含んで構成される。送信部３３は、制御部３５から入力されるデジタル信号を、アナログ信号に変換した後、無線信号にアップコンバートし、電力増幅器で送信出力レベルまで増幅してから、スイッチ３２を介してサービスアンテナ３１に供給する。
【００３２】
受信部３４は、低雑音増幅器、周波数変換器、帯域通過フィルタ、およびＡ／Ｄ変換器を含んで構成される。受信部３４は、スイッチ３２を介してサービスアンテナ３１から入力される無線信号を、低雑音増幅器で増幅した後、中間周波数信号にダウンコンバートし、さらにデジタル信号に変換してから、制御部３５に出力する。
【００３３】
制御部３５は、たとえばＣＰＵおよびＣＰＵの動作を制御するプログラムで構成される。本実施形態では、制御部３５が、後述する経路試験部４０の一部として動作する。
【００３４】
なお、ドナーアンテナ２１とサービスアンテナ３１との間には、相互干渉を極力避けるために、一定のアイソレーションが確保される。このため、中継装置１０では、上記従来の基地局で行われているループバックテストと同様の方法では、通信経路の自己検査を正確に行うことができない。つまり、単に、送信経路（ダウンリンク）から送信された疑似信号を自装置の受信経路（アップリンク）で受信し、送信した疑似信号と受信した疑似信号とを比較することで通信経路の異常の有無を正確に判別することは難しい。
【００３５】
この点、中継装置１０の経路試験では、制御部２５および制御部３５の少なくとも一方（ここでは双方とする）により実現される経路試験部４０が、ドナーアンテナ２１およびサービスアンテナ３１の一方から送信された疑似信号とその他方で受信された疑似信号との同一性について判定した結果だけでなく、疑似信号の送信電力と受信電力とがアイソレーションに係る所定の条件を満たすか否かについて判定した結果にさらに基づいて、通信経路（疑似信号の伝送経路）が正常であるか否かを推定する。このため、ドナーアンテナ２１とサービスアンテナ３１との間に確保されるアイソレーションを考慮した通信経路の自己検査を行うことができる。
【００３６】
以下では、上記経路試験処理を実現するために経路試験部４０が備える機能的構成について具体的に説明する。
【００３７】
図２は、経路試験部４０の機能ブロック図である。図２に示すように、経路試験部４０は、伝送経路設定部４１、送信電力制御部４２、疑似信号供給部４３、受信電力取得部４４、疑似信号取得部４５、第１判定部４６、第２判定部４７、および経路状態推定部４８を含んで構成される。
【００３８】
伝送経路設定部４１は、経路試験において送受される疑似信号の伝送経路を設定する。具体的には、伝送経路設定部４１が、ドナーアンテナ２１およびサービスアンテナ３１の一方を送信アンテナ、他方を受信アンテナとして設定する。そして、ドナーアンテナ２１が送信アンテナ、サービスアンテナ３１が受信アンテナとして設定された場合、疑似信号の伝送経路は、経路試験部４０を起点として、送信部２３、スイッチ２２、ドナーアンテナ２１（ここまでが送信経路）、サービスアンテナ３１、スイッチ３２、受信部３４（ここまでが受信経路）を順次通過し、最後に経路試験部４０に帰還する経路となる。逆に、サービスアンテナ３１が送信アンテナ、ドナーアンテナ２１が受信アンテナとして設定された場合、疑似信号の伝送経路は、経路試験部４０を起点として、送信部３３、スイッチ３２、サービスアンテナ３１（ここまでが送信経路）、ドナーアンテナ２１、スイッチ２２、受信部２４（ここまでが受信経路）を順次通過し、最後に経路試験部４０に帰還する経路となる。
【００３９】
送信電力制御部４２は、伝送経路設定部４１が設定した送信アンテナ（ドナーアンテナ２１およびサービスアンテナ３１の一方）から送信される疑似信号の送信電力を設定する。具体的には、まず、初回に送信されれる疑似信号の送信電力として、予め定められた送信電力の基準値（たとえば送信アンテナから送信される無線信号の基準送信電力）が設定される。そして、後述する第２判定部４７によって疑似信号の間に同一性がない判定された場合に送信される疑似信号の送信電力には、その送信回数に応じて送信電力が増加するよう、予め定められた送信電力の上限値（定格値）以下の範囲で疑似信号の送信回数に応じた値が設定される。
【００４０】
疑似信号供給部４３は、疑似信号を生成し、生成された疑似信号を伝送経路設定部４１が設定した送信アンテナ（ドナーアンテナ２１およびサービスアンテナ３１の一方）に接続された送信部（送信部２３または送信部３３）に供給する。そして、疑似信号供給部４３は、その疑似信号を送信電力制御部４２が設定した送信電力で送信アンテナから送信させる。なお、疑似信号は、予め定められた既知の信号でもよいし、所定のアルゴリズムに従って生成される信号でもよいし、ランダムに生成される信号であってもよいが、実際に送信される通信信号に近い特性を有する信号である方が望ましい。
【００４１】
受信電力取得部４４は、伝送経路設定部４１が設定した受信アンテナ（ドナーアンテナ２１およびサービスアンテナ３１の他方）で受信された疑似信号の受信電力をその受信アンテナに接続された受信部（受信部２４または受信部３４）から取得する。
【００４２】
疑似信号取得部４５は、送信アンテナ（ドナーアンテナ２１およびサービスアンテナ３１の一方）から送信された疑似信号を受信アンテナ（ドナーアンテナ２１およびサービスアンテナ３１の他方）に受信させる。そして、疑似信号取得部４５は、受信された疑似信号をその受信アンテナに接続された受信部（受信部２４または受信部３４）から取得する。
【００４３】
第１判定部４６は、送信電力制御部４２により設定された送信電力と受信電力取得部４４により取得された受信電力とがアイソレーションに係る所定の条件を満たすか否かを判定する。ここでいうアイソレーションに係る条件とは、ドナーアンテナ２１とサービスアンテナ３１との間に一定のアイソレーションを確保するための条件であり、たとえば、送信電力と受信電力の差（または比）が所定レベル以上であることが一例として挙げられる。なお、送信電力と受信電力とが上記アイソレーションに係る条件を満たさなければ、ドナーアンテナ２１とサービスアンテナ３１との間に必要なアイソレーションが確保されていない可能性が高い。
【００４４】
第２判定部４７は、送信アンテナ（ドナーアンテナ２１およびサービスアンテナ３１の一方）から送信された疑似信号と受信アンテナ（ドナーアンテナ２１およびサービスアンテナ３１の他方）で受信された疑似信号との同一性を判定する。疑似信号の同一性を判定する基準には、たとえば、送信された疑似信号と受信された疑似信号との相関係数を算出しその相関係数が所定の閾値以上であるか否か（所定の閾値以上であれば同一性あり）、送信された疑似信号から復調される疑似データと受信された疑似信号から復調される疑似データとが同一であるか否か、などを用いることができる。
【００４５】
なお、送信された疑似信号と受信された疑似信号との間に同一性がなければ、疑似信号の伝送経路に異常があるおそれが考えられる。そこで、送信された疑似信号と受信された疑似信号との間に同一性がない場合、伝送経路の異常の有無を判別するために、疑似信号供給部４３は、前回よりも高い送信電力で疑似信号を送信アンテナから再度送信させ、疑似信号取得部４５も、送信アンテナから再度送信された疑似信号を受信アンテナに受信させる。
【００４６】
経路状態推定部４８は、第１判定部４６よる判定結果と第２判定部４７よる判定結果とに基づいて、送信アンテナ（ドナーアンテナ２１およびサービスアンテナ３１の一方）から受信アンテナ（ドナーアンテナ２１およびサービスアンテナ３１の他方）に送信される疑似信号の伝送経路が正常であるか否かを推定する。
【００４７】
たとえば、第１判定部４６によりアイソレーションに係る所定の条件が満たされると判定され、さらに第２判定部４７により疑似信号の間に同一性があると判定された場合、経路状態推定部４８は、疑似信号の伝送経路が「正常」または「準正常」であると推定する。すなわち、送信電力制御部４２が疑似信号の送信電力を増加させる前に、第１判定部４６により上記アイソレーションに係る条件が満たされると判定され、さらに第２判定部４７により疑似信号の間に同一性があると判定された場合、経路状態推定部４８は、疑似信号の伝送経路が「正常」であると推定する。一方、送信電力制御部４２が疑似信号の送信電力を増加させた後に、第１判定部４６により上記アイソレーションに係る条件が満たされると判定され、さらに第２判定部４７により疑似信号の間に同一性があると判定された場合、経路状態推定部４８は、疑似信号の伝送経路が「準正常」であると推定する。
【００４８】
一方、第１判定部４６により上記アイソレーションに係る条件が満たされないと判定された場合、ドナーアンテナ２１とサービスアンテナ３１との間に必要なアイソレーションが確保されていない可能性が高いため、経路状態推定部４８は、疑似信号の伝送経路に「異常」があると推定する。
【００４９】
次に、中継装置１０の経路試験処理に係る動作を説明する。
【００５０】
図３は、ドナーアンテナ２１が送信アンテナ、サービスアンテナ３１が受信アンテナとして設定された場合の経路試験処理の一例を示すフロー図である。
【００５１】
図３に示すように、中継装置１０は、まず、疑似信号の送信電力を設定する（Ｓ１００）。送信電力の設定が初回であれば、疑似信号の送信電力として予め定められた送信電力の基準値（たとえば送信電力から送信される無線信号の基準送信電力）が設定される。次に、中継装置１０は、Ｓ１００で設定された送信電力でドナーアンテナ２１から疑似信号を送信するとともに（Ｓ１０２）、ドナーアンテナ２１から送信された疑似信号をサービスアンテナ３１で受信する（Ｓ１０４）。また、中継装置１０は、サービスアンテナ３１で受信された疑似信号の受信電力を検出する（Ｓ１０６）。
【００５２】
そして、中継装置１０は、Ｓ１００で設定された送信電力とＳ１０６で検出された受信電力とがアイソレーションに係る所定の条件（上述）を満たすか否かを判定する（Ｓ１０８）。ここで、アイソレーションに係る条件が満たされないと判定された場合（Ｓ１０８：Ｎ）、中継装置１０は、疑似信号の伝送経路に「異常」があるものと推定する。
【００５３】
一方、アイソレーションに係る条件が満たされると判定された場合（Ｓ１０８：Ｙ）、中継装置１０は、Ｓ１０２で送信された疑似信号とＳ１０４で受信された疑似信号との同一性を判定する（Ｓ１１０）。ここで、２つの疑似信号の間に同一性がないと判定された場合（Ｓ１１０：Ｎ）、中継装置１０は、疑似信号の送信電力を所定値だけ増加させ（Ｓ１１４）、その増加させた送信電力が予め定められた上限値以下である限り（Ｓ１１６：Ｙ）、Ｓ１０２以降の処理を再実行する。逆にＳ１１４で増加させた送信電力が上限値を超えていれば（Ｓ１１６：Ｎ）、中継装置１０は、疑似信号の伝送経路に「異常」があるものと推定する。
【００５４】
これに対し、Ｓ１１０において２つの疑似信号の間に同一性があると判定された場合（Ｓ１１０：Ｙ）、Ｓ１００で設定された送信電力が基準値以下であれば（Ｓ１１２：Ｎ）、つまり疑似信号の送信電力を増加させる前であれば、中継装置１０は、疑似信号の伝送経路が「正常」であると推定する。逆に、Ｓ１００で設定された送信電力が基準値を上回っていれば（Ｓ１１２：Ｙ）、つまり疑似信号の送信電力を増加させた後であれば、中継装置１０は、疑似信号の伝送経路が「準正常」であると推定する。この「準正常」とは、疑似信号の伝送経路に異常は確認されないが、送信電力の基準値で疑似信号が送信された場合には疑似信号の同一性が得られないため、条件付きで「正常」とみなすという意味である。
【００５５】
図４は、サービスアンテナ３１が送信アンテナ、ドナーアンテナ２１が受信アンテナとして設定された場合の経路試験処理の一例を示すフロー図である。本処理は、送信アンテナと受信アンテナとを入れ替えたことを除いて図３に示す処理と同様であるため、詳細説明は割愛する。
【００５６】
以上説明した中継装置１０では、ドナーアンテナ２１（対第１通信装置用のアンテナ）およびサービスアンテナ３１（対第２通信装置用のアンテナ）の一方から送信された疑似信号とその他方で受信された疑似信号との同一性について判定した結果だけでなく、疑似信号の送信電力と受信電力とがアイソレーションに係る所定の条件を満たすか否かについて判定した結果にさらに基づいて、疑似信号の伝送経路が正常であるか否かを推定する。このため、ドナーアンテナ２１とサービスアンテナ３１との間に確保されるアイソレーションを考慮した通信経路の自己検査を行うことができる。
【００５７】
なお、本発明は、上記実施形態に限定されるものではない。
【００５８】
たとえば、上記実施形態では、ドナー部２０の制御部２５およびサービス部３０の制御部３５の双方が経路試験部４０を構成する例を示したが、経路試験部４０は、制御部２５および制御部３５のいずれで構成してもよいし、中継装置１０に接続される外部装置内に実装されてもよい。
【００５９】
また、送信電力制御部４２が疑似信号を初回に送信する際の送信電力の基準値を、事前に経路試験部４０で判断してもよい。たとえば、伝送経路設定部４１が設定した経路で、送信電力制御部４２に設定可能な最低の送信電力から徐々に増加させつつ、疑似信号供給部４３に出力させ、第１判定部４６においてアイソレーションに係る所定の条件が満たされると判断され、さらに、第２判定部４７において疑似信号の間に同一性があると最初に判定されたときの送信電力を、予め定められた送信電力の基準値として利用する。
【００６０】
もちろん、本発明は、基地局と移動局との間の通信を中継する中継装置に限らず、対第１通信装置用のアンテナと対第２通信装置用のアンテナとを備え、第１通信装置と第２通信装置との間の通信を中継する中継装置全般に広く適用可能である。
【符号の説明】
【００６１】
１０  中継装置、２０  ドナー部、２１  ドナーアンテナ、２２，３２  スイッチ、２３，３３  送信部、２４，３４  受信部、２５，３５  制御部、３０  サービス部、３１  サービスアンテナ、４０  経路試験部、４１  伝送経路設定部、４２  送信電力制御部、４３  疑似信号供給部、４４  受信電力取得部、４５  疑似信号取得部、４６  第１判定部、４７  第２判定部、４８  経路状態推定部。
【図１】
2011250163.tif 000003
【図２】
2011250163.tif 000004
【図３】
2011250163.tif 000005
【図４】
2011250163.tif 000006
【図５】
2011250163.tif 000007
【図６】
2011250163.tif 000008
【図７】
2011250163.tif 000009